(57)【要約】【課題】浮屋根上の全面火災を迅速かつ円滑に消火する。【解決手段】可燃性液体を貯蔵する貯蔵槽６と、貯蔵槽６内に移動可能に設けられた浮屋根７とを備える貯蔵タンク１に設けられる全面火災用の消火設備１２であって、貯蔵槽６内に浮屋根７と地上とに亘って設けられ消火剤を供給する排水管８と、排水管８に供給された消火剤を発泡する発泡器２１と、排水管８に連通されて浮屋根７に設けられ浮屋根７上に泡状の消火剤を放出する放出口２３とを備える。【選択図】図３
2008167800.tif 000002
【特許請求の範囲】
【請求項１】
可燃性液体を貯蔵する貯蔵槽と、前記貯蔵槽内に移動可能に設けられた浮屋根とを備える貯蔵タンクに設けられる全面火災用の消火設備であって、
前記貯蔵槽内に前記浮屋根と地上とに亘って設けられ消火剤を供給する供給管と、
前記供給管に供給された消火剤を発泡する発泡手段と、
前記供給管に連通されて前記浮屋根に設けられ、前記浮屋根上に泡状の消火剤を放出する放出口と
を備えることを特徴とする消火設備。
【請求項２】
前記供給管は、前記浮屋根から雨水を地上に排水する排水管である請求項１に記載の消火設備。
【請求項３】
前記供給管には、地上の消火剤供給車輌から消火剤が供給される請求項１または２に記載の消火設備。
【請求項４】
前記発泡手段は、前記供給管に消火剤を導入する導入管近傍に配置された発泡器を有している請求項１ないし３のいずれか１項に記載の消火設備。
【請求項５】
前記発泡手段は、前記浮屋根上に配置された発泡器を有している請求項１ないし４のいずれか１項に記載の消火設備。
【請求項６】
地上から前記浮屋根に互いに独立して消火剤を供給する複数の前記供給管を備える請求項１ないし５のいずれか１項に記載の消火設備。
【請求項７】
請求項１ないし６のいずれか１項に記載の消火設備を備える貯蔵タンク。
【請求項８】
前記貯蔵槽には、前記浮屋根を覆うドーム部が設けられている請求項７に記載の貯蔵タンク。
【請求項９】
前記浮屋根の外周縁部に消火剤を放出する他の消火設備を備える請求項７または８に記載の貯蔵タンク。
【請求項１０】
可燃性液体を貯蔵する貯蔵槽と、前記貯蔵槽内に移動可能に設けられた浮屋根とを備える貯蔵タンクに用いられる消火方法であって、
前記浮屋根上から雨水を排水する排水管を介して消火剤を供給し、前記排水管に連通された放出口から前記浮屋根上に泡状の消火剤を放出する消火方法。
【発明の詳細な説明】
【技術分野】
【０００１】
本発明は、例えば原油等の可燃性液体を貯蔵する貯蔵槽内に浮屋根が移動可能に設けられた貯蔵タンクに設けられる消火設備、貯蔵タンクおよび消火方法に関する。
【背景技術】
【０００２】
従来の貯蔵タンクとしては、例えば石油を貯蔵する貯蔵槽内に、石油の貯蔵量に応じて移動する浮屋根を備える浮屋根式構造（フローティング方式）が知られている。
【０００３】
この種の貯蔵タンクでは、浮屋根と貯蔵槽の内周壁との間に設けられたシール部から、貯蔵槽内の石油が気化した蒸気が放出され、この蒸気に引火することで、シール部におけるいわゆるリング火災が発生する。このため、従来の貯蔵タンクは、局所火災であるリング火災を前提として初期消火するための消火装置を備えている。
【０００４】
従来の浮屋根式構造の貯蔵タンクに採用される消火装置としては、シール部における局所火災を初期消火するために、シール部に沿って泡を放出する構成が開示されている（例えば、特許文献１参照。）。
【特許文献１】特開２０００−１４０１４２号公報（図１）
【発明の開示】
【発明が解決しようとする課題】
【０００５】
しかしながら、従来の貯蔵タンクでは、地震等でスロッシングや浮屋根の破壊等によって貯蔵槽内から浮屋根上に石油が溢れ出た場合に、浮屋根上の全面火災にまで発展するおそれがある。この場合、従来の貯蔵タンクが備える消火装置では、シール部近傍に消火剤を放出するように構成されているため、浮屋根上の全面火災を消火することが困難である。
【０００６】
また、貯蔵タンクの大型化に伴い、地上から浮屋根の天面までの高さが高くなっており、一般の消防車では、浮屋根の天面上に消火剤を到達させることが困難であり、消火作業が円滑に行われないという不都合がある。
【０００７】
このため、浮屋根上の全面火災に対応するためには、地上から浮屋根の天面上に消火剤を放出して到達させる専用の消火設備が必要になる。また、このような専用の消火設備を使用した場合であっても、消火作業の開始までに準備時間を要するという問題がある。
【０００８】
そこで、本発明は、浮屋根上に泡状の消火剤を容易に行き渡らせることを可能にし、浮屋根上の全面火災に迅速に対応し円滑に消火することができる消火設備、貯蔵タンクおよび消火方法を提供することを目的とする。
【課題を解決するための手段】
【０００９】
上述した目的を達成するため、本発明に係る消火設備は、可燃性液体を貯蔵する貯蔵槽と、貯蔵槽内に移動可能に設けられた浮屋根とを備える貯蔵タンクに設けられる全面火災用の消火設備であって、貯蔵槽内に浮屋根と地上とに亘って設けられ消火剤を供給する供給管と、この供給管に供給された消火剤を発泡する発泡手段と、供給管に連通されて浮屋根に設けられ浮屋根上に泡状の消火剤を放出する放出口とを備える。
【００１０】
以上のように構成した本発明に係る消火設備によれば、供給管によって地上から浮屋根に消火剤が供給され、発泡手段によって発泡された泡状の消火剤が、浮屋根に設けられた放出口から浮屋根上に放出される。したがって、この消火設備によれば、浮屋根上の全面火災を円滑に消火することが可能になる。
【００１１】
また、本発明に係る消火設備が備える供給管は、貯蔵槽内に引き回されて配置され浮屋根から雨水を排水する排水管であることが好ましい。この構成によれば、既存の貯蔵タンクが備える排水管を供給管として併用されるので、既存の貯蔵タンクに比較的容易に適用することが可能になる。
【００１２】
また、本発明に係る消火設備が備える発泡手段は、浮屋根上に配置された発泡器を有していることが好ましい。この構成によれば、供給管によって浮屋根上に供給された消火剤が、発泡器によって浮屋根上で発泡されることで、泡状の消火剤を良好な状態で浮屋根上に放出することが可能になる。
【００１３】
また、本発明に係る貯蔵タンクは、上述した発明の消火設備を備える。
【００１４】
また、本発明に係る他の貯蔵タンクは、浮屋根を覆うドーム部が設けられていてもよい。この構成では、特に貯蔵槽の外部から放出された消火剤がドーム部で遮られ、消火剤を浮屋根上に到達させることが困難であるため、本発明の消火設備がさらに好適である。
【００１５】
また、本発明に係る消火方法は、可燃性液体を貯蔵する貯蔵槽と、この貯蔵槽内に移動可能に設けられた浮屋根とを備える貯蔵タンクに用いられる消火方法であって、浮屋根上から雨水を排水する排水管を介して消火剤を供給し、排水管に連通された放出口から浮屋根上に泡状の消火剤を放出する。
【発明の効果】
【００１６】
上述したように本発明によれば、貯蔵タンクにおける浮屋根上の全面火災に迅速に対応し、円滑に消火することが可能になる。
【発明を実施するための最良の形態】
【００１７】
以下、本発明の具体的な実施形態について、図面を参照して説明する。
【００１８】
図１に示すように、実施形態の貯蔵タンク１は、例えば石油等の可燃性液体を貯蔵する貯蔵槽６と、この貯蔵槽６内に移動可能に設けられた浮屋根７と、浮屋根７上の雨水等を排水するための排水管８とを備えている。
【００１９】
また、この貯蔵タンク１は、浮屋根７の外周部における局所火災を消火するための局所火災用の消火設備１１と、浮屋根７上の全面火災を消火するための全面火災用の消火設備１２とを備えている。
【００２０】
貯蔵槽６は、有底円筒状に形成され、内周部に浮屋根７が設けられている。浮屋根７は、外周部に設けられたシール部１５によって貯蔵槽６の内壁との間隙が封止されており、浮屋根７は、貯蔵槽６内に貯蔵された可燃性液体の貯蔵量に応じて、貯蔵槽６の内周壁に沿って高さ方向に移動可能に設けられている。
【００２１】
なお、浮屋根７は、一層構造であるいわゆるシングルデッキとして構成されたが、二層構造であるいわゆるダブルデッキに構成されてもよく、機械的強度等の向上が適宜図られてもよい。
【００２２】
排水管８は、貯蔵槽６内に、浮屋根７と地上とに亘って蛇行して設けられており、貯蔵槽６内での浮屋根７の移動に伴って移動可能に配置されている。この排水管８は、一端が、浮屋根７上に設けられた集水溝１６に連通され、他端が、貯蔵槽６の外方に設けられた排水口１７に連通されている。また、浮屋根７には、浮屋根７上から地上に互いに独立して排水する複数の排水管８がそれぞれ設けられている。
【００２３】
局所火災用の消火設備１１は、貯蔵槽６の上端部に配置されており、図示しないが、消火剤が貯蔵された消火剤タンクと、この消火剤タンクから供給された消火剤を発泡する発泡器と、この発泡器で発泡された泡状の消火剤を放出する放出口とを有している。そして、この局所火災用の消火設備１１は、放出口から放出された泡状の消火剤を貯蔵槽６の内壁に沿って流下させ、浮屋根７の外周部における局所火災を消火する。
【００２４】
図２および図３に示すように、全面火災用の消火設備１２は、地上から浮屋根７に消火剤を供給するために排水管８を利用しており、排水管８に供給された消火剤を発泡する発泡器２１と、排水管８に連通されて浮屋根７に設けられ浮屋根７上に泡状の消火剤を放出する放出口２３を有する放出管２２とを有している。
【００２５】
排水管８には、図３に示すように、地上の化学消防車等の消火剤供給車輌２６に接続される導入管２７が連通されて設けられており、この導入管２７に発泡器２１が接続されている。また、導入管２７に接続された消火剤供給車輌２６には、地上に設置された給水栓３３が接続され、給水栓３３から消火用水が供給される。
【００２６】
また、排水管８には、放出管２２近傍および導入管２７近傍に、排水時と消火剤供給時とに流路を切り替えるための各切り替え弁１８，３１，３２がそれぞれ設けられている。これら切り替え弁１８，３１，３２によって、集水溝１６から排水管８を介して排水口１７に雨水等を排水する流路と、導入管２７から切替え弁１８を通り排水管８を介して放出管２２に消火剤を供給する流路とに切り替えられる。
【００２７】
放出管２２は、浮屋根７上に配列された複数の放出口２３を有し、排水管８に連通されて設けられている。各放出口２３は、浮屋根７上の最下部に配置されている。また、浮屋根７の各放出管２２には、各排水管８を介して、地上から浮屋根７に互いに独立して消火剤が供給される。
【００２８】
なお、上述した消火設備１１，１２が用いる消火剤としては、例えば３Ｍ社製の「Ｎｏｖｅｃ（登録商標）１２３０」が好適である。この消火剤は、絶縁性が比較的大きく、オゾン層に悪影響を及ぼすことなく、比較的速やかに消火することが可能とされているので好ましい。
【００２９】
発泡器２１は、導入管２７から分岐された各分岐管２７ａに配置され、消火剤供給車輌２６から供給された消火剤が導入され、消火剤を発泡させて、導入管２７に泡状の消火剤を導入し、排水管８を介して浮屋根７上の各放出口２３から泡状の消火剤を放出させる。また、導入管２７の中途部には、泡状の消火剤を採取するための採取管２７ｂ等が設けられており、消火剤の発泡状態が調整されることで、排水管８に良好な泡状の消火剤が導入される。
【００３０】
以上のように構成された貯蔵タンク１について、消火設備１２によって浮屋根７上の全面火災を消火する動作を説明する。
【００３１】
貯蔵タンク１では、浮屋根７の外周部で局所火災が発生した際、局所火災用の消火設備１１から放出された泡状の消火剤によって消火される。
【００３２】
また、この貯蔵タンク１は、浮屋根７上の全面火災が発生した際、地上の消火剤供給車輌２６の各供給管が各分岐管２７ａに接続され、各分岐管２７ａにそれぞれ供給された消火剤が各発泡器２１によって発泡される。発泡器２１で発泡された泡状の消火剤は、導入管２７から排水管８を経て浮屋根７上まで供給される。浮屋根７上に供給された泡状の消火剤は、各放出口２３から浮屋根７上に放出されることで、浮屋根７上の全面火災が円滑に消火される。
【００３３】
上述したように、本実施形態の貯蔵タンク１および消火設備１２によれば、浮屋根７上に放出口２３が設けられ、地上から排水管８を介して供給された消火剤が放出口２３から放出させる構成にされることによって、浮屋根７上に消火剤を容易に行き渡らせ、浮屋根７上の全面火災を迅速かつ円滑に消火することができる。
【００３４】
また、この貯蔵タンク１および消火設備１２によれば、地上からの遠隔操作で浮屋根７上の全面火災に対応することができるので、貯蔵タンク１内を無人にして消火作業を行うことが可能にされ、消火作業時の安全性を確保することができる。
【００３５】
なお、上述した実施形態では、地上から浮屋根７上の放出口２３まで消火剤を供給するための供給管として、一般に貯蔵タンクが備えている排水管が利用される構成が採られたが、排水管と独立した供給管が設けられる構成が採られてもよく、管径等が最適にされた専用の供給管によって更に良好な泡状の消火剤を浮屋根上に放出することが可能になる。
【００３６】
上述した実施形態では、発泡器２１が、地上の導入管２７に接続されて配置される構成が採られたが、例えば図４に示すように、発泡器３６が浮屋根７上の放出管２２に接続されて配置される構成にされてもよい。この構成によれば、発泡器３６は、浮屋根７上に配置され、消火剤が発泡の直後に放出されることで、良好な泡状の消火剤を放出することが可能にされている。また、この構成によれば、排水管８によって液状の消火剤を供給することになり、地上から排水管８を介して浮屋根７上に消火剤を円滑に供給することが可能になる。
【００３７】
また、特に、貯蔵タンクは、例えば図５に示すように、浮屋根７を覆うドーム部３７を備える構成の場合に、貯蔵タンクの外部から放射した消火剤を浮屋根７上に到達させることが非常に困難である。しかしながら、本発明に係る消火設備によれば、排水管によって地上から浮屋根上に消火剤を到達させ、浮屋根上に消火剤を円滑に放出することが可能になり、消火作業を円滑に行うことができる。
【図面の簡単な説明】
【００３８】
【図１】本実施形態の貯蔵タンクを示す模式図である。
【図２】全面火災用の消火設備を模式的に示す平面図である。
【図３】全面火災用の消火設備を説明するための模式図である。
【図４】浮屋根上に発泡器が配置された構成を示す平面図である。
【図５】浮屋根を覆うドーム部を備える他の貯蔵タンクを示す模式図である。
【符号の説明】
【００３９】
１  貯蔵タンク
６  貯蔵槽
７  浮屋根
８  排水管
１２  全面火災用の消火設備
２１  発泡器
２２  放出管
２３  放出口
【図１】
2008167800.tif 000003
【図２】
2008167800.tif 000004
【図３】
2008167800.tif 000005
【図４】
2008167800.tif 000006
【図５】
2008167800.tif 000007